(57)【要約】【課題】既に設置されているアコーデオンカーテンに対する取手本体２の取外し，取付けを容易にする。【解決手段】アコーデオンカーテンの縦枠体Ｒに取付板１が締付け係止される。取付板１は、アコーデオンカーテンの縦枠体Ｒの取付溝１８の幅よりも短い短辺部１１と取付溝１８と左右の凹部１９との寸法和より大きな寸法に設定された長辺部１２とを有し、これらが取手本体２の上下端に回動可能にネジ３により支持する。【選択図】      図１
2006328714.tif 000002
【特許請求の範囲】
【請求項１】
アコーデオンカーテンの縦枠をなす縦枠体が、その長手方向に沿って所定幅の取付溝を備えると共に、該取付溝の左右端部に凹溝が形成されて、該凹溝と係合して取手本体を当該縦枠体に固定する取手取付装置において、
前記取付溝の幅より適宜短い寸法に設定された短辺部と、前記凹溝と取付溝との幅寸法の和より適宜長い寸法に設定された長辺部とを備える概略矩形状の取付板を有し、該取付板が前記取手本体の上端部及び下端部に挿通して設けられたネジと螺合して回動可能に支持されて、前記取付板の前記短辺部を上下にして前記取付溝に挿入し、前記ネジを回転させた際に前記長辺部又はコーナ部が前記凹溝の底面に当接するまで当該取付板が当該ネジと共に回転し、当接後は回転が停止して螺合が進むことにより前記凹溝を引きつけるように係合して前記取手本体を当該縦枠体に固定するようにしたことを特徴とする取手取付装置。
【請求項２】
前記取手本体に前記取付板の回動域を規制するストッパを設けたことを特徴とする請求項１の取手取付装置。
【請求項３】
前記取付板の短辺部が、前記取手本体側に適宜屈曲して設けられていることを特徴とする請求項１又は２記載の取手取付装置。
【請求項４】
前記取付板のコーナ部が曲形に角取りされていることを特徴とする請求項１又は２記載の取手取付装置。
【請求項５】
請求項１乃至４いずれか１記載の取手取付装置を備えることを特徴とするアコーデオンカーテン用取手。
【発明の詳細な説明】
【技術分野】
【０００１】
本発明は、アコーデオンカーテンの側部フレーム（縦枠体）にアコーデオンカーテン用取手本体を取付る際に用いる取手取付装置及びそれを備えたアコーデオンカーテン用取手に関する。
【背景技術】
【０００２】
アコーデオンカーテン用取手（以下、単に取手本体と記載する）は、アコーデオンカーテンの開閉等の際に手を掛けるもので、工場から出荷する際には縦枠体に取付られて出荷され、その際の高さ位置は標準的な高さに設定されている。
【０００３】
ところが、ユーザの身長はそれぞれ異なるため、標準的な位置に固定してしまうと、使い勝手が悪い場合も生じ、かかる不具合に対応すべく、取手本体の位置が容易に変えられるようにした構成が提案されている（特許文献１，２参照）。
【０００４】
このような取手本体が取付られる縦枠体は、取付面が凹設されると共に、その端部が左右に潜込んでなる案内溝が形成された断面視「Ｃ字状」の長尺材である。
【０００５】
そして、特許文献１においては、取手本体の上下端に固設された突出片を案内溝に挿入し、ネジで固定プレートを取付面側に押し付けることにより突出片と案内溝の側辺部とを当接させて、その摩擦力で固定する構成になっている。従って、ユーザはネジを緩め好きな高さ位置に合わせて、当該ネジを締め付けることにより取手本体の高さ調整が可能になっている。
【０００６】
また、特許文献２においては、案内溝に挿嵌する受座を当該案内溝に挿入すると共に、受座カバーを表側から受座に宛い、取手本体の上下端に設けられたネジを介して受座を当該取手本体側に引き寄せるように締め付けることにより受座カバーと受座とで案内溝の側辺部を挟持して固定する構成となっている。従って、ユーザは、ネジを緩め好きな高さ位置に合わせて、当該ネジを締め付けることにより取手本体の高さ調整が可能になっている。
【特許文献１】実用新案登録第２６０５４２６号公報
【特許文献２】特許第２９６０８７１号
【発明の開示】
【発明が解決しようとする課題】
【０００７】
しかしながら、上述した各文献にかかる構成では以下のような不都合があり、ユーザが容易に取手本体を交換することができない問題があった。
【０００８】
即ち、特許文献１においては、突出片が取手本体の上下端部に固設されており、この突出片を案内溝に挿脱するには、縦枠体の上端又は下端から挿脱する必要がある。また、特許文献２においては、受座を案内溝から挿脱する必要があるが、この場合も縦枠体の上端又は下端から挿脱する必要がある。
【０００９】
ところが、アコーデオンカーテンは、既に施工されて縦枠体の下端は床面に略接しており、また上端は天井や梁等に略接している状態が多いので、上端や下端から取手本体や受座を挿脱する空間が確保できない。従って、アコーデオンカーテン自体を一度取外す必要が生じて、ユーザによる取手本体の交換を困難にしている。
【００１０】
本発明は、このような問題点を考慮してなされたもので、取手本体の位置調整が容易に行えるようにしながら、アコーデオンカーテンを取外したりしなくても取手本体を容易に交換可能にした取手取付装置及びそれを備えたアコーデオンカーテン用取手を提供することを目的とする。
【課題を解決するための手段】
【００１１】
前述の課題を解決するため、本発明に係る取手取付装置は、特許請求の範囲の各請求項に記載の手段を採用する。
【００１２】
即ち、請求項１では、アコーデオンカーテンの縦枠をなす縦枠体が、その長手方向に沿って所定幅の取付溝を備えると共に、該取付溝の左右端部に凹溝が形成されて、該凹溝と係合して取手本体を当該縦枠体に固定する取手取付装置において、取付溝の幅より適宜短い寸法に設定された短辺部と、凹溝と取付溝との幅寸法の和より適宜長い寸法に設定された長辺部とを備える概略矩形状の取付板を有し、該取付板が取手本体の上端部及び下端部に挿通して設けられたネジと螺合して回動可能に支持されて、取付板の短辺部を上下にして取付溝に挿入し、ネジを回転させた際に長辺部又はコーナ部が凹溝の底面に当接するまで当該取付板が当該ネジと共に回転し、当接後は回転が停止して螺合が進むことにより凹溝を引きつけるように係合して取手本体を当該縦枠体に固定するようにしたことを特徴とする。
【００１３】
これにより、取手本体の高さ調整の容易性を確保しながら、既に設置されているアコーデオンカーテンに対する取手の交換が容易となる。
【００１４】
また、請求項２では、請求項１の取手取付装置において、取手本体に取付板の回動域を規制するストッパを設けたことを特徴とする。
【００１５】
これにより、ストッパによって取付板の締付けの際の空回りが防止される。
【００１６】
また、請求項３では、取付板の短辺部が、取手本体側に適宜屈曲して設けられていることを特徴とする。
【００１７】
これにより、屈曲した部分が凹部に噛み合い、しっかりと取付ることが可能になる。
【００１８】
また、請求項４では、取付板のコーナ部が曲形に角取りされていることを特徴とする。
【００１９】
これにより、角取りによってアコーデオンカーテンの制約された空間である縦枠体の内部での取付板の回動機能が保障される。
【００２０】
さらに、請求項１乃至４いずれか１記載の取手取付装置を備えるアコーデオンカーテン用取手であることを特徴とする。
【００２１】
これにより、既に設置されているアコーデオンカーテンに対する取外し，取付けが容易なる。
【発明の効果】
【００２２】
本発明に係る取手取付装置は、アコーデオンカーテンの縦枠をなす縦枠体が、その長手方向に沿って所定幅の取付溝を備えると共に、該取付溝の左右端部に凹溝が形成されて、該凹溝と係合して取手本体を当該縦枠体に固定する取手取付装置において、取付溝の幅より適宜短い寸法に設定された短辺部と、凹溝と取付溝との幅寸法の和より適宜長い寸法に設定された長辺部とを備える概略矩形状の取付板を有し、該取付板が取手本体の上端部及び下端部に挿通して設けられたネジと螺合して回動可能に支持されて、取付板の短辺部を上下にして取付溝に挿入し、ネジを回転させた際に長辺部又はコーナ部が凹溝の底面に当接するまで当該取付板が当該ネジと共に回転し、当接後は回転が停止して螺合が進むことにより凹溝を引きつけるように係合して取手本体を当該縦枠体に固定するようにしたので、取手本体の位置調整が容易に行え、かつ、アコーデオンカーテンを取外したりしなくても取手本体を容易に交換可能になる。
【発明を実施するための最良の形態】
【００２３】
以下、本発明に係る取手取付装置を実施するための最良の形態を図面に基づいて説明する。本実施の形態では、アコーデオンカーテンやアコーディオンドア等の側縁部に縦方向に延びた側部フレーム（縦枠体）への取付けに好適なものを示してある。なお、本明細書ではアコーデオンカーテンやアコーディオンドア等をアコーデオンカーテンと記載する。
【００２４】
縦枠体Ｒは、長手方向に沿って所定幅の取付溝１８を備えると共に、該取付溝１８の左右端部に凹溝１９が形成されて、該凹溝１９と係合して取手本体２を当該縦枠体Ｒに固定する。
【００２５】
取手本体２は、手が掛けられる中央部２１の両端部に足部２２が設けられた平山形に形成され、足部２２には着脱可能なカバー部２３が設けられ、足部２２の先端側を内部から開放することができるようになっている。
【００２６】
開放される足部２２の先端側には、ネジ３が挿通される挿通孔２４が形成され、その面はネジ３の受座２５をなしている。受座２５の縦枠体Ｒ側には、取付板１を位置させて回動を可能にする空間２６が設けられると共にこの空間２６に受座２５から突出した片形のストッパ２７が設けられている。
【００２７】
取付板１は、縦枠体Ｒの取付溝１８よりも適宜短い寸法の短辺部１１と、取付溝１８と凹溝１９との寸法の和よりも適宜長い寸法の長辺部１２とを有した概略矩形状に形成され、短辺部１１は取手本体２側に適宜屈曲して設けられている。この屈曲部分が凹溝１９に噛み合うことで、しっかりと取手本体２を固定することができる。
【００２８】
また、短辺部１１と長辺部１２とがなす角部（コーナ部）は、曲形に角取りされて、その角取りは曲げ半径の小さな曲部１３と、曲げ半径の大きな曲部１４とからなっている。さらに、取付板１の中心部には、ネジ３が螺合するネジ孔１５が穿孔され、ネジ孔１５の周囲にボス１６が設けられている。
【００２９】
ネジ３は、取手本体２の挿通孔２４に挿通され取付板１のネジ孔１５に螺合される通常のものからなる。このネジ３については、軸長に比してネジ部，頭部の径の大きなものを選択し、取付板１のネジ孔１５との間で抜止め加工しておくのが好ましい。このネジ３には、１本で後述のように取付板１を回動可能にして支持する機能と、取付板１の締付機能との２つの機能を奏するため、構造の複雑化を避けることができる。
【００３０】
このような構成で、図４において二点鎖線で示すように、ネジ３を緩めて取付板１の締付けを解除し、取付板１の短辺部１１を縦枠体Ｒの取付溝１８に直交させることで、縦枠体Ｒに対して取付板１を抜差しすることができるようになる。なお、ネジ３，取付板１のネジ孔１５に抜止め加工しておくと、取付板１が縦枠体Ｒの内部に脱落してしまうのを防止することができる。
【００３１】
また、図４において実線で示すように、取付板１の長辺部１２を縦枠体Ｒの取付溝１８に直交させネジ３を締めることで、取付板１を縦枠体Ｒに締付け係止させることができる。このとき、取付板１のボス１６は、締付け圧力による取付板１の変形を防止する。なお、図３に示すように、取手本体２の足部２２の先端縁が縦枠体Ｒの底面に当接されるようにすると、縦枠体Ｒに対する取付強度を高めることができる。
【００３２】
従って、縦枠体Ｒの開放されている端部から取付板１を挿通させたり引抜いたりする必要がないため、既に設置されているアコーデオンカーテン（縦枠体Ｒ）に対する取外し，取付けが容易になる。
【００３３】
なお、図４において二点鎖線の図示から実線の図示への示す取付板１の回動では、取付板１が曲部１３，１４で角取りされているため、取付板１の回転径が小さくなって縦枠体Ｒの制約された空間の内部での確実な回動が確保される。また、取付板１の角取りされた曲部１３，１４は、縦枠体Ｒに対する抜差しや縦枠体Ｒの内部での回動で縦枠体Ｒ等を傷付け損傷するのを防止する作用もある。
【００３４】
また、取付板１の曲げ半径の異なる曲部１３，１４は、小さな曲げ半径の曲部１３の回動による縦枠体Ｒとの接触を避けて、ネジ３による回転締付けの操作量を確保して操作感を良好にするとともに、大きな曲げ半径の曲部１４の回動による縦枠体Ｒとの接触によって、取付板１の空回りを防止している。なお、取付板１の空回りの防止には、取手本体２のストッパ２７も寄与する。
【図面の簡単な説明】
【００３５】
【図１】本発明に係る取手取付装置を実施するための最良の形態の分解斜視図である。
【図２】図１の組立状態の斜視図である。
【図３】図２に取付状態の縦断面図である。
【図４】図３の縦断面図である。
【符号の説明】
【００３６】
１  取付板
２  取手本体
３  ネジ
１１  短辺部
１２  長辺部
１３，１４  曲部
１５  ネジ孔
１６  ボス
１８  取付溝
１９  凹溝
２１  中央部
２２  足部
２３  カバー部
２４  挿通孔
２５  受座
２６  空間
２７  ストッパ
【図１】
2006328714.tif 000003
【図２】
2006328714.tif 000004
【図３】
2006328714.tif 000005
【図４】
2006328714.tif 000006